(57)【要約】【課題】フォーカシングコイル中間線の位置ずれを防止でき、組立作業性の向上化が可能な微小位置調整装置を実現する。【解決手段】固定部７が接続された面側（他方の面）とは反対側の面側（一方の面）に、中間線３２の移動制限部材である突起８及び９を形成し、レンズホルダ２のフォーカシングコイル中間線の位置ずれを防止する。フォーカシングコイル３ａ、３ｂの挿入作業を、固定部７が取り付けられていない面側から行うことができる。したがって、組立作業性の向上化が可能な微小位置調整装置を実現することができる。また、突起９により、中間線３２を固定するための接着剤が開口部に流出することも防止することができ、装置の信頼性の向上を図ることも可能となる。【選択図】      図１
2004265480.tif 000002
【特許請求の範囲】
【請求項１】
電流が供給され、磁束発生部材からの磁束により移動駆動力を発生する、互いに中間線で接続された一対の位置調整コイルと、
対物レンズと、
上記対物レンズを支持するとともに、光発生源からの光を上記対物レンズに通過させるための開口部が形成され、この開口部を間にして上記一対の位置調整コイルが互いに対向する位置に支持し、これら一対の位置調整コイルの中間線の開口部方向への移動を制限する移動制限部材が形成されるレンズホルダと、
を備えることを特徴とする微小位置調整装置。
【請求項２】
請求項１記載の微小位置調整装置において、上記移動制限部材は、互いに対向する２つの突起であり、これら２つの突起の間に上記中間線が配置されることを特徴とする微小位置調整装置。
【請求項３】
請求項１記載の微小位置調整装置において、上記突起は、上記開口部の周囲を包囲して形成されていることを特徴とする微小位置調整装置。
【請求項４】
請求項３記載の微小位置調整装置において、上記位置調整コイルとは異なる方向に移動駆動力を発生する他方向位置調整コイルを、さらに備え、上記突起は、他方向位置調整コイルを支持する延長部を有することを特徴とする微小位置調整装置。
【請求項５】
光ディスクの記録面に光を集光する対物レンズと、この対物レンズを保持するレンズホルダと、対物レンズを間にして互いに対向するようにレンズホルダに取り付けられる２個のフォーカシングコイルと、レンズホルダと固定部に接続され、レンズホルダが固定部に対して動作可能に支持する複数本の支持部材とを有し、上記レンズホルダには、光発生源からの光を上記対物レンズに通過させるための開口部が上記固定部が接続される側とは反対側に形成され、上記開口部を間にして２個のフォーカシングコイルが互いに対向する位置に支持される対物レンズ駆動装置において、
２個のフォーカシングコイルを互いに結ぶ中間線と端末線を、レンズホルダの、上記固定部が接続される側とは反対側面に配置し、この反対側面には、上記中間線の移動を制限する移動制限部材を形成したことを特徴とする対物レンズ駆動装置。
【請求項６】
請求項５記載の対物レンズ駆動装置において、上記移動制限部材は、互いに対向する一対の突起であり、これら突起のうちの１つは、上記開口部の周囲に形成されていることを特徴とする対物レンズ駆動装置。
【発明の詳細な説明】
【０００１】
【発明の属する技術分野】
本発明は、微小位置調整装置に係わり、特に、光ディスクの記録面上に記録された情報を読み出しまたは記録を行う光ディスク装置に用いられる対物レンズ駆動装置に最適な微小位置調整装置に関する。
【０００２】
【従来の技術】
微小位置調整装置の一例として、光ディスク装置に用いられる対物レンズ駆動装置がある。
【０００３】
光ディスク装置においては、光ディスク状の記録媒体上に情報を記録し、または記録された情報を読み出して再生する。この光ディスク装置は、ディスク上に比較的大きな量の情報を記録でき、記録媒体も剛性が大きく取り扱いが容易なため、コンピュータの外部記録装置や映像音声の記録装置として用いられている。
【０００４】
このような光ディスク装置において、光ディスク上の記録面に光を集光する対物レンズをフォーカシング方向（光ディスク面に接近／離間する方向）とトラッキング方向（ディスクの半径方向）に駆動する装置が、対物レンズ駆動装置である。
【０００５】
一般に、対物レンズ駆動装置は、対物レンズを含む可動部と、この可動部を支持する支持部材と、ヨークおよび永久磁石からなる磁気回路とを備えている。
【０００６】
そして、可動部には、フォーカシングコイルとトラッキングコイルとが取り付けられており、フォーカシングコイルに駆動電流を印加することにより、永久磁石からの磁束との作用により生じる電磁力で可動部がフォーカシング方向に駆動される。
【０００７】
同様に、トラッキングコイルに駆動電流を印加することにより、永久磁石からの磁束との作用により生じる電磁力で可動部をがトラッキング方向に駆動される。
【０００８】
このような対物レンズ駆動装置の従来技術の一例として、特許文献１に記載された技術がある。
【０００９】
この特許文献１記載の技術においては、レンズホルダに、対物レンズと、第１ボビン部と、第２ボビン部とが配置され、第１ボビン部と第２ボビン部とは、空間を間にして、配置される。
【００１０】
そして、この空間を光路にして、光が対物レンズを通って、光ディスク上に照射される構造となっている。第１ボビン部及び第２ボビン部は、連結部により連結され、この連結部に対物レンズが取り付けられている。
【００１１】
第１ボビン部及び第２ボビン部には、それぞれ独立してフォーカシングコイル及びトラッキングコイルが巻回される。つまり、上記空間を間にして、２つのフォーカシングコイルが互いに対向する。また、上記空間を間にして、２つのトラッキングコイルが、フォーカシングコイルを介して、互いに対向する構造となっている。
【００１２】
また、光源から発せられる光は、上記空間部であって、対物レンズの下方側に配置される反射鏡により反射され、対物レンズを通過する。
【００１３】
また、レンズホルダには、フレーム（図示せず）に固定される配線基板が、その側面側に取付られる。このため、上記空間部は、一対のフォーカシングコイルと、対物レンズに包囲され、上記配線基板が取付られていない側面から光が照射される。
【００１４】
【特許文献１】
特開平１１−１７５９９２号公報
【００１５】
【発明が解決しようとする課題】
従来技術においては、フォーカシングコイル、トラッキングコイルのレンズホルダへの取付又は挿入方法については何ら記載されていない。
【００１６】
通常、フォーカシングコイル及びトラッキングコイルは、装置の制作都合上、上記配線基板等の固定部が、レンズホルダの一側面側に取り付けられた状態で、このレンズホルダに取付又は挿入される。
【００１７】
ここで、上記従来技術において、第１ボビン部及び第２ボビン部に巻回されたフォーカシングコイルは、上記空間部を間にして、互いに接続する中間線が必要となる。同様に、トラッキングコイルにも中間線が必要となる。
【００１８】
したがって、中間線が光路となる上記空間部を遮らないようにするため、中間線で接続された状態の一対のコイルを上記固定部側からレンズホルダに取付又は挿入している。
【００１９】
しかしながら、対物レンズ駆動装置に代表される微小位置調整装置は、小型軽量であり、上記コイルのレンズホルダへの取付又は挿入は自動機械化が困難であった。このため、人手による手作業に頼らざるを得なかったが、その作業は繁雑であり、装置の組立作業効率向上化の阻害要因となっていた。
【００２０】
したがって、上記コイルのレンズホルダへの取付又は挿入を容易に行える構造を有する微小位置調整装置が望まれていた。
【００２１】
本発明の目的は、フォーカシングコイル中間線の位置ずれを防止でき、組立作業性の向上化が可能な微小位置調整装置を実現することである。
【００２２】
【課題を解決するための手段】
上記目的を達成するために本発明は、次のように構成される。
【００２３】
（１）微小位置調整装置において、電流が供給され、磁束発生部材からの磁束により移動駆動力を発生する、互いに中間線で接続された一対の位置調整コイルと、対物レンズと、上記対物レンズを支持するとともに、光発生源からの光を上記対物レンズに通過させるための開口部が形成され、この開口部を間にして上記一対の位置調整コイルが互いに対向する位置に支持し、これら一対の位置調整コイルの中間線の開口部方向への移動を制限する移動制限部材が形成されるレンズホルダとを備える。
【００２４】
（２）好ましくは、上記（１）において、上記移動制限部材は、互いに対向する２つの突起であり、これら２つの突起の間に上記中間線が配置される。
【００２５】
（３）また、好ましくは、上記（１）において、上記突起は、上記開口部の周囲を包囲して形成されている。
【００２６】
（４）また、好ましくは、上記（３）において、上記位置調整コイルとは異なる方向に移動駆動力を発生する他方向位置調整コイルを、さらに備え、上記突起は、他方向位置調整コイルを支持する延長部を有する。
【００２７】
（５）光ディスクの記録面に光を集光する対物レンズと、この対物レンズを保持するレンズホルダと、対物レンズを間にして互いに対向するようにレンズホルダに取り付けられる２個のフォーカシングコイルと、レンズホルダと固定部に接続され、レンズホルダが固定部に対して動作可能に支持する複数本の支持部材とを有し、上記レンズホルダには、光発生源からの光を上記対物レンズに通過させるための開口部が上記固定部が接続される側とは反対側に形成され、上記開口部を間にして２個のフォーカシングコイルが互いに対向する位置に支持される対物レンズ駆動装置において、２個のフォーカシングコイルを互いに結ぶ中間線と端末線を、レンズホルダの、上記固定部が接続される側とは反対側面に配置し、この反対側面には、上記中間線の移動を制限する移動制限部材が形成される。
【００２８】
（６）好ましくは、上記（５）において、上記移動制限部材は、体阿木に互いに対向する一対の突起であり、これら突起のうちの１つは、上記開口部の周囲に形成されている。
【００２９】
上記のように、フォーカシングコイルの中間線と端末線を、対物レンズに対して固定部から遠い方のレンズホルダの同一側に配置することで、フォーカシングコイルをレンズホルダに組み付ける作業と、フォーカシングコイルの端末線と支持部材を接続する作業を、レンズホルダの同一側から行うことができ、組立作業性を向上させることができる。
【００３０】
また、フォーカシングコイルの中間線を配置するレンズホルダの側面に突起を設けることで、フォーカシングコイルの中間線の位置を定めることができ、フォーカシングコイルの中間線の位置ずれと、フォーカシングコイルの中間線をレンズホルダに固定する接着剤の流出を防止できる。
【００３１】
【発明の実施の形態】
本発明の実施形態について、添付を図面を参照して説明する。
図１は、本発明の第１の実施形態である微小位置調整装置の概略分解斜視図であり、光ディスク装置の対物レンズ駆動装置に適用した場合の例を示す図である。
【００３２】
図１において、ｘ軸方向は、光ディスク装置に配置された光ディスク（図示せず）の接線方向、ｙ軸方向は、光ディスクの半径方向であるトラッキング方向、ｚ軸方向は、対物レンズ１の光軸方向であるフォーカシング方向である。
【００３３】
対物レンズ１は、レンズホルダ２の上面の略中央に形成された対物レンズ装着部に取り付けられる。また、レンズホルダ２には、対物レンズ１の装着部分を中央にして、ｙ方向に２つのフォーカシングコイル装着部が形成されている。
【００３４】
そして、２個一組のフォーカシングコイル（一対の位置調整コイル）３ａ、３ｂは、フォーカシングコイル装着部に形成されたｘ方向挿入口から挿入され、中心軸方向がｚ方向となるようにレンズホルダ２に取り付けられる。
【００３５】
ここで、フォーカシングコイル３ａ、３ｂは、レンズホルダ２の後述する固定部７が接続された面側（他方の面）とは反対側の面側（一方の面）から上記ｘ方向挿入口に挿入される。
【００３６】
また、４個一組のトラッキングコイル（他方向位置調整コイル）４ａ、４ｂ、４ｃ、４ｄは、これらのトラッキングコイル４ａ〜ｄの中心軸方向がｘ方向となるようにレンズホルダ２に取り付けられる。
【００３７】
また、コイル４ａと４ｃとは互いにｘ方向に対向し、コイル４ｂと４ｄとは、互いにｘ方向に対向するようにレンズホルダ２に取り付けられる。
【００３８】
また、コイル４ａ及び４ｃは、レンズ１を間にして、コイル４ｂ及び４ｄと、ｙ方向に互いに対向するようにレンズホルダ２に取り付けられる。
【００３９】
導電性を有し、ワイヤ状の支持部材６ａ、６ｂ、６ｃ、６ｄは、一端が板状固定部７の端部近辺に固定され、他端がレンズホルダ２に固定される。板状固定部７は、支持部材６ａ、６ｂ、６ｃ、６ｄを介してレンズホルダ２の他方の面側に接続されることとなる。
【００４０】
フォーカシングコイル３ａ、３ｂの端末線３１ａ、３１ｂ及びトラッキングコイル４ａ〜４ｄの端末線４１ａ、４１ｂは、レンズホルダ２の側面に取り付けられた接続基板２１ａ、２１ｂ上で、支持部材６ａ〜６ｄの他端側と半田等の導電性融着材により電気的に接続される。
【００４１】
ここで、対物レンズ１と、レンズホルダ２と、フォーカシングコイル３ａ、３ｂと、トラッキングコイル４ａ〜４ｄと、接続基板２１ａ、２１ｂとが可動部となる。つまり、この可動部が固定部７に対して可動することとなる。
【００４２】
レンズホルダ２のトラッキング方向と平行な二つの側面のうち、対物レンズ１に対して固定部７から遠い方の側面（一方の面）には、光を通過させる開口部が形成されている。
【００４３】
この開口部により図示しない光学系からの光を対物レンズ１の下方に配置した立ち上げミラーで反射して対物レンズ１に導くことができ、光ディスク装置の薄型化を図っている。
【００４４】
磁化方向が図１中のｘ軸方向となる永久磁石１１ａ、１１ｂ、１１ｃ、１１ｄは、磁性体から構成されたヨーク部材であるアウターヨーク１２に取り付けられ固定されている。
【００４５】
そして、アウターヨーク１２とレンズホルダ２とを組み立てることにより、これら永久磁石１１ａ〜１１ｄは、レンズホルダ２の、トラッキング方向（ｙ方向）と平行な両側方に配置される。
【００４６】
そして、永久磁石１１ａ及び１１ｂと、永久磁石１１ｃ及び１１ｄとは、レンズホルダ２、フォーカシングコイル３ａ、３ｂ、及びトラッキングコイル４ａ〜４ｄを間にして、互いに対向するように配置される。
【００４７】
アウターヨーク１２の底面からレンズホルダ２側に延びるインナーヨーク１０ａ、１０ｂは、アウターヨーク１２とレンズホルダ２とを組み立てるたときに、フォーカシングコイル３ａ、３ｂの内側に位置するよう配置される。
【００４８】
これにより、永久磁石１１ａ〜１１ｄからの磁束がインナーヨーク１０ａ、１０ｂからアウターヨーク１２へと通る磁気回路が形成される。
【００４９】
上述した構成において、フォーカシングコイル３ａ、３ｂに駆動電流が印加されると、永久磁石１１ａ〜１１ｄからの磁束との作用により生じる電磁力（移動駆動力）で可動部がフォーカシング方向に駆動される。
【００５０】
同様に、トラッキングコイル４ａ〜４ｄに駆動電流が印加されると、可動部がトラッキング方向に駆動される。
【００５１】
ここで、図１及び図２に示すように、フォーカシングコイル３ａ、３ｂの端末線３１ａ、３１ｂ及び中間線３２は、対物レンズ１に対して固定部７から遠い方のレンズホルダ２の側面側（一方の面側）に位置するよう構成している。
【００５２】
また、レンズホルダ２の開口部上方側には、中間線３２の移動制限部材である突起８、９が形成され、中間線３２が開口部を遮らないように構成されている。
【００５３】
このため、フォーカシングコイル３ａ、３ｂをレンズホルダ２の側面側（一方の面側）から挿入してレンズホルダ２に取り付ける作業と、フォーカシングコイル３ａ、３ｂの端末線３１ａ、３１ｂを接続基板２１ａ、２１ｂに固定する作業と、フォーカシングコイル３ａ、３ｂの中間線３２をレンズホルダ２の側面に固定する作業とを、レンズホルダ２の一側面側から行うことができるので、組立作業性を向上することができる。
【００５４】
なお、フォーカシングコイル３ａ、３ｂをレンズホルダ２の側面から挿入することにより、フォーカシングコイル３ａ、３ｂを永久磁石１１ａ〜１１ｄに近づけられるので、駆動力を向上させることができる。
【００５５】
図３は、本発明と異なり、フォーカシングコイル３ａ、３ｂを、固定部７が接続された面側（他方の面）から、レンズホルダ２に挿入する場合の例を説明する図である。
【００５６】
この図３に示す例においては、フォーカシングコイル３ａ、３ｂをレンズホルダ２に挿入し取り付ける作業と、フォーカシングコイル３ａ、３ｂの端末３３ａ、３３ｂを接続基板２１ａ、２１ｂに固定する作業を、レンズホルダ２の別々の方向から行う必要がある。
【００５７】
また、図３の場合にはフォーカシングコイル３ａ、３ｂの端末線３３ａ、３３ｂをレンズホルダ２の中を通して接続基板２１ａ、２１ｂの位置まで配線しなければならず、途中で端末線３３ａ、３３ｂがレンズホルダ２に引っ掛かるおそれがある。
このため、図３に示す例の場合は、組立作業性を向上することが困難である。
【００５８】
これに対して、図２に示す本発明の実施形態では、フォーカシングコイル３ａ、３ｂの端末線３１ａ、３１ｂと、接続基板２１ａ、２１ｂとがレンズホルダ２の同一側とすることができ、端末線３１ａ、３１ｂをレンズホルダ２の中を通さなくても接続基板２１ａ、２１ｂに固定することができる。
【００５９】
したがって、本発明の第１の実施形態は、この点でも組立作業性を向上させることができる。
【００６０】
さらに、本発明の第１の実施形態では、図１及び図４に示すように、対物レンズ１に対して固定部７から遠い方のレンズホルダ２の側面（一方の面）に、フォーカシングコイル３ａ、３ｂの中間線３２の上下方向への移動を制限する突起８、９が形成されている。
【００６１】
突起９は、開口の周囲を包囲するように形成されている。また、突起８は、対物レンズ１側に形成され、突起８と９とが互いに対向するように形成されている。ただし、突起８と９との互いの間隔は、中間線３２の径以上であることは勿論である。
【００６２】
この突起８、９の間にフォーカシングコイル３ａ、３ｂの中間線３２を通すことにより、フォーカシングコイル３ａ、３ｂの中間線３２が光の通路となる開口を遮ることを回避することができ、中間線３２等の配線作業を容易に行うことができる。
【００６３】
また、フォーカシングコイル３ａ、３ｂの中間線３２をレンズホルダ２に固定する接着剤がレンズホルダ２の側面に設けた開口部分に流れ出すことを防止できる。
【００６４】
図５は、本発明と異なり、レンズホルダ２の側面に突起を設けない場合の例を示す図である。この図５に示す例の場合には、接着剤等によるフォーカシングコイル３ａ、３ｂの中間線３２の固定が十分になされていないと、中間線３２の位置がずれ、レンズホルダ２の側面に設けた開口部分にはみ出し、光を遮るおそれがある。
【００６５】
また、図５に示す例の場合は、接着剤が開口部に流出する恐れもあり、流出した接着剤により光が遮られるおそれもある。
【００６６】
これに対して、図４に示すように、本発明の第１の実施形態によれば、フォーカシングコイル３ａ、３ｂの中間線３２の位置ずれと、接着材の開口部への流出を防止することができ、信頼性を向上させることができる。
【００６７】
また、突起９をレンズホルダ２の側面に設けた開口部の周囲に設けることで、開口部分の強度を向上できるという効果もある。
【００６８】
これにより、レンズホルダ２の弾性変形モードの固有振動数を高め広帯域な制御系を実現することができる。
【００６９】
以上のように、本発明の第１の実施形態によれば、固定部７が接続された面側（他方の面）とは反対側の面側（一方の面）に、中間線３２の移動制限部材である突起８及び９を形成し、レンズホルダ２のフォーカシングコイル中間線の位置ずれを防止できるようにしたので、フォーカシングコイル３ａ、３ｂの挿入作業を、固定部７が取り付けられていない面側から行うことができる。
【００７０】
したがって、組立作業性の向上化が可能な微小位置調整装置を実現することができる。
【００７１】
装置の組み立て作業を簡素化することができるので、従来、人手による組み立て作業を自動機械で行うようにすることも可能となる。
【００７２】
また、突起９により、中間線３２を固定するための接着剤が開口部に流出することも防止することができ、装置の信頼性の向上を図ることも可能となる。
【００７３】
図６は、本発明の第２の実施形態である光ディスク装置の対物レンズ駆動装置における要部側面図である。
【００７４】
この第２の実施形態においては、突起９が開口部の周囲を包囲するように形成されているのみならず、レンズホルダ２の底面の長手方向（図１のｙ軸方向）に延びる延長部９ａ、９ｂが形成されている。
第２の実施形態のその他の構成は、第１の実施形態と同様な構成となっているため、詳細な説明は省略する。
【００７５】
この延長部９ａ、９ｂにより、突起９は、Ｌ字状の角部を有する形状となり、これらの角部を、トラッキングコイル４ａ〜４ｄの位置決めに使用することができる。
【００７６】
したがって、この第２の実施形態においては、第１の実施形態と同様な効果を有する他、組立作業をさらに容易にできるという効果がある。
【００７７】
なお、上述した例においては、突起８が形成されているが、この突起８を省略することも可能である。
【００７８】
また、突起９は、開口部の周囲に形成するように構成したが、レンズホルダ２の側面であって、中間線３２が配置される面の領域であり、中間線３２の開口部方向への移動を制限することができれば、開口部の周囲以外の領域に形成してもよい。
【００７９】
また、中間線移動制限部材は、突起に限らず、溝を形成し、その溝に中間線３２を挿入してもよい。
【００８０】
また、上述した例は、本発明を光ディスク装置の対物レンズ駆動装置に適用した場合の例であるが、本発明はこれに限らず、他の微小位置を調整する装置に適用可能である。
【００８１】
例えば、レーザ変位計における位置調整や、その他の光のフォーカシングを調整する装置等にも適用可能である。
【００８２】
【発明の効果】
本発明によれば、フォーカシングコイル中間線の光通過開口部方向への位置ずれを防止でき、組立作業性の向上化が可能な微小位置調整装置を実現することができる。
【００８３】
また、フォーカシングコイルの位置ずれや接着剤の流出を防止することができるので、組立作業性が良く信頼性が高い微小位置調整装置を実現することができる。
【図面の簡単な説明】
【図１】本発明の第１の実施形態である微小位置調整装置の概略分解斜視図である。
【図２】本発明の実施形態におけるフォーカシングコイルの挿入作業説明図である。
【図３】本発明とは異なる構成におけるフォーカシングコイルの挿入作業説明図である。
【図４】本発明の実施形態における要部側面図である。
【図５】本発明とは異なる構成の例における要部側面図である。
【図６】本発明の第２の実施形態における要部説明図である。
【符号の説明】
１                対物レンズ
２                レンズホルダ
３、３ｂ          フォーカシングコイル
４ａ〜４ｄ        トラッキングコイル
６ａ〜６ｄ        支持部材
７                固定部
８、９            突起
９ａ、９ｂ        延長部
１０ａ、１０ｂ    インナーヨーク
１１ａ〜１１ｄ    永久磁石
１２              アウターヨーク
２１ａ、２１ｂ    接続基板
３１ａ、３１ｂ    フォーカシングコイルの端末線
３２              フォーカシングコイルの中間線
４１ａ、４１ｂ    トラッキングコイルの端末線
【図１】
2004265480.tif 000003
【図２】
2004265480.tif 000004
【図３】
2004265480.tif 000005
【図４】
2004265480.tif 000006
【図５】
2004265480.tif 000007
【図６】
2004265480.tif 000008